(57)【特許請求の範囲】
【請求項１】
フロアパネルに形成された開口部の周縁部に設置されるコネクタ取付具であって、
前記フロアパネルの上面における前記開口部の周縁部に沿って環状に形成されていて、前記フロアパネルの上面における前記開口部の周縁部に配置される上側プレートと、
前記フロアパネルの下面における前記開口部の周縁部に沿って環状に形成されていて、前記フロアパネルの下面における前記開口部の周縁部に配置される下側プレートと、
前記上側プレートおよび前記下側プレートの少なくとも一方に設けられ、コネクタが取り付けられる取付部と、
前記上側プレートおよび前記下側プレートを前記フロアパネルに圧接させて当該フロアパネルに締結する締結部と、
を備え、
前記上側プレートは、前記開口部の周縁部の上面に当接する外周縁部と、前記取付部であって前記外周縁部の内周部から段落ちして前記開口部の内周に嵌合する内周縁部と、前記開口部の内周に当接する位置決め片と、を備えており、
前記外周縁部の内周部の少なくとも一部には、当該外周縁部の上面と前記内周縁部の上面との間の段差部分を切り欠いたスリットが形成されているとともに、
前記位置決め片は、前記内周縁部の外周部から前記スリットを介して前記開口部の内周に向けて張り出していることを特徴とするコネクタ取付具。
【発明の詳細な説明】
【技術分野】
【０００１】
本発明は、フロアパネルに配置されるコネクタ取付具に関する。
【背景技術】
【０００２】
従来、インナーコンセントなどのコネクタをフロアパネルに取り付けるにあたって、そのフロアパネルに形成した開口部にコネクタ取付具を設置して、そのコネクタ取付具を介してコネクタをフロアパネルに取り付けるようにしたものがある（例えば、特許文献１参照）。
【０００３】
この場合、コネクタ取付具は、コネクタ取付用の固定用プレートと、この固定用プレートをフロアパネルに固定する一対の固定金具と、によって構成されている。固定用プレートは、開口部の周縁部に沿った環状に形成されており、フロアパネルの上面に配置される。一方、各固定金具は、固定用プレートの裏面からフロアパネルの下面に至る断面ほぼＺ字状に形成されている。
【０００４】
そして、固定金具を固定用プレートの対向部位に２箇所配置し、それぞれの上端部を固定用プレートにねじ止めするとともに、下端部をフロアパネルの下面に引っ掛け、その下端部と固定用プレートとによってフロアパネルの周縁部を挟持することにより、コネクタ取付具をフロアパネルに取り付けるようになっている。
【特許文献１】実公平７−３９３０３号公報
【発明の開示】
【発明が解決しようとする課題】
【０００５】
しかしながら、前記従来のコネクタ取付具にあっては、フロアパネルの上面に配置する固定用プレートは開口部の周縁部に沿って連続した環状に形成されるのであるが、フロアパネルの下面に引っ掛ける一対の固定金具は、相互に独立した単品で形成されている。
【０００６】
従って、固定用プレートに一対の固定金具をねじ止めして、コネクタ取付具と各固定金具との間でフロアパネルの開口部の周縁部を挟み込んだ際に、各固定金具が独立してコネクタ取付具の対向部位を支持することになる。このため、フロアパネルの下面形状によっては固定用プレートを安定して固定するのが困難になってしまう。
【０００７】
また、一対の固定金具が相互に独立していることにより、フロアパネルの下面の狭い範囲でコネクタ取付具を支持することになり、この点からもコネクタ取付具の安定的な固定性が損なわれてしまう。
【０００８】
そこで、本発明は、フロアパネルに安定して固定することができるコネクタ取付具を提供することを目的とする。
【課題を解決するための手段】
【０００９】
本発明の第１の態様は、フロアパネルに形成された開口部の周縁部に設置されるコネクタ取付具であって、前記フロアパネルの上面における前記開口部の周縁部に沿って環状に形成されていて、前記フロアパネルの上面における前記開口部の周縁部に配置される上側プレートと、前記フロアパネルの下面における前記開口部の周縁部に沿って環状に形成されていて、前記フロアパネルの下面における前記開口部の周縁部に配置される下側プレートと、前記上側プレートおよび前記下側プレートの少なくとも一方に設けられ、コネクタが取り付けられる取付部と、前記上側プレートおよび前記下側プレートを前記フロアパネルに圧接させて当該フロアパネルに締結する締結部と、を備え、前記上側プレートは、前記開口部の周縁部の上面に当接する外周縁部と、前記取付部であって前記外周縁部の内周部から段落ちして前記開口部の内周に嵌合する内周縁部と、前記開口部の内周に当接する位置決め片と、を備えており、前記外周縁部の内周部の少なくとも一部には、当該外周縁部の上面と前記内周縁部の上面との間の段差部分を切り欠いたスリットが形成されているとともに、前記位置決め片は、前記内周縁部の外周部から前記スリットを介して前記開口部の内周に向けて張り出していることを特徴とする。
【発明の効果】
【００１２】
本発明によれば、上側プレートおよび下側プレートが前記開口部の周縁部に沿って環状に形成されているので、それら両プレートを締結部によってフロアパネルに締結した際に、上側プレートおよび下側プレートが開口部の周縁部を上記従来構造に比べて広い範囲で支持できる。従って、コネクタ取付具を開口部の周縁部に安定して固定できる。
【発明を実施するための最良の形態】
【００１３】
以下、本発明の一実施形態について図面を参照しつつ詳細に説明する。図１は、本実施形態にかかるコネクタの取付状態を示す断面図、図２は、本実施形態にかかるコネクタの取付途中を示す斜視図、図３は、本実施形態にかかるコネクタ取付具を上方から見た斜視図、図４は、本実施形態にかかるコネクタ取付具の平面図、図５は、本実施形態にかかるコネクタ取付具の底面図、図６は、本実施形態にかかるコネクタ取付具の正面図、図７は、本実施形態にかかるコネクタ取付具の側面図、図８は、図４中VIII−VIII線に沿った断面図、図９は、図４中IX−IX線に沿った断面図、図１０は、本実施形態にかかるコネクタ取付具をフロアパネルの開口部周縁に固定する手順を（ａ）〜（ｄ）に順を追って示す斜視図、図１１は、本実施形態にかかるコネクタ取付具の取付状態をフロアパネルの下面から見た斜視図である。
【００１４】
図１に示すように、コネクタ１０は、フロアパネル１に形成された開口部２内に収納され、その開口部２の周縁部にコネクタ取付具２０によって取り付けられるようになっている。フロアパネル１は、２重構造となっており、下側のパネルは図示が省略されている。開口部２は、矩形状に形成されており、これに伴ってコネクタ取付具２０も開口部２の周縁部に沿って矩形状に形成されている。
【００１５】
コネクタ１０は、例えば、電源コネクタ（インナーコンセント）や、電話コネクタ、ＬＡＮコネクタ等である。コネクタ１０は、コネクタ取付具２０に載置状態で取り付けられるフレーム１１を備えている。このフレーム１１は、コネクタ取付具２０の形状に沿った矩形状に形成され、そのフレーム１１の下方に内部構造体１２が取り付けられている。
【００１６】
内部構造体１２は、電力線や電話線、ＬＡＮケーブルなどの配線が接続されるコネクタ本体１３と、このコネクタ本体１３が取り付けられた器具プレート１４と、この器具プレート１４の両側および底部を覆う器具ボックス１５と、を備えている。器具プレート１４には、コネクタ本体１３を嵌着する矩形状開口部１４ａが形成されている。
【００１７】
器具プレート１４は、相対向して一対設けられている。これら器具プレート１４は、それぞれの下部が互いに近づく方向に傾斜されており、かかる構造によって、コネクタ本体１３はプラグが差込み易いように斜め上方を向くようになっている。尚、図中左側の器具プレート１４は、コネクタ本体１３を省略した状態で示してある。
【００１８】
器具ボックス１５は、器具プレート１４間を覆うように一対の側壁１５ａと底壁１５ｂとによって断面Ｕ字状に形成されている。側壁１５ａは、傾斜した器具プレート１４の側辺に沿って下方の幅が狭くなる台形状に形成されている。底壁１５ｂは、一対の器具プレート１４の下端部同士を繋ぎ止めている。
【００１９】
また、フレーム１１の内側開口部は、コネクタ１０の非使用時に蓋部材１６によって閉塞されるようになっている。
【００２０】
図２に示すように、一対の器具プレート１４の相対向する上端部の両側部には、折曲片１４ｂが２片づつ形成されている。これら折曲片１４ｂには、長穴状の取付穴１４ｃが形成されている。折曲片１４ｂは、フレーム１１に形成された切欠部１１ａに嵌合する。そして、各取付穴１４ｃに挿通したビス１７によってそれぞれの折曲片１４ｂがコネクタ取付具２０に連結されるようになっている。
【００２１】
また、器具ボックス１５の相対向する側壁１５ａの上端部には、外方に折曲した引掛け片１５ｃが形成されており、これら引掛け片１５ｃがフレーム１１に係止している。
【００２２】
コネクタ取付具２０は、図１に示すように、フロアパネル１の開口部２の周縁部に設置され、コネクタ１０が取り付けられるようになっている。コネクタ取付具２０は、図３〜図７に示すように、上側プレート２１と、下側プレート２２と、これら上側プレート２１および下側プレート２２をフロアパネル１に圧接させてフロアパネル１に締結する締結部２６と、を備えている。
【００２３】
上側プレート２１は、フロアパネル１の上面１ａにおける開口部２の周縁部に沿って環状に形成されていている。詳しくは、本実施形態では略矩形状に形成されている。この上側プレート２１は、フロアパネル１の上面１ａに配置における開口部２の周縁部に配置される。上側プレート２１には、コネクタ１０が取り付けられるようになっている。
【００２４】
上側プレート２１は、開口部２の周縁部の上面に当接する外周縁部２１ａと、この外周縁部２１ａの内周部から所定量ｄ（図８、図９参照）だけ段落ちして開口部２の内周に嵌合する内周縁部２１ｂと、を備えている。
【００２５】
内周縁部２１ｂは、コネクタ１０が取り付けられる取付部となっている。詳しくは、内周縁部２１ｂは、コネクタ１０のフレーム１１が嵌合されるようになっている。内周縁部２１ｂの各隅部には、締付ボルト２３用の挿通穴２１ｃが形成されている。また、内周縁部２１ｂには、器具プレート１４の上端部が配置される部分に、ビス１７を螺合するねじ穴２１ｄが形成されている。
【００２６】
また、上側プレート２１においては、器具プレート１４の上端部が配置される内周縁部２１ｂの中央部に、開口部２の内周に当接する位置決め片２４が突設されている。
【００２７】
位置決め片２４は、図３および図８に示すように、外周縁部２１ａの内側側一部が、内周縁部２１ｂと同一平面となるように切り下げられて、その切り下げられた部分によって形成されている。そして、図１に示すように、上側プレート２１が開口部２の周縁部に配置された状態で、位置決め片２４の先端が開口部２の内周に当接するようになっている。
【００２８】
下側プレート２２は、フロアパネル１の下面１ｂにおける開口部２の周縁部に沿って環状に形成されている。詳しくは、本実施形態では略矩形状に形成されている。この下側プレート２２は、フロアパネル１の下面１ｂにおける開口部２の周縁部に配置される。
【００２９】
下側プレート２２の各隅部においては、上側プレート２１の挿通穴２１ｃに対応する部位が幅広に形成されて幅広部分２２ａとなっており、その幅広部分２２ａに締付ボルト２３を螺合するねじ穴２２ｂが形成されている。ここで、ねじ穴２２ｂは、締付ボルト２３とともに、締結部２６を構成している。
【００３０】
次に、コネクタ取付具２０の取り付けて手順を説明する。開口部２の周縁部へのコネクタ取付具２０の取り付けは、図１に示すように、上側プレート２１を開口部２の上側周縁部に配置するとともに、下側プレート２２を開口部２の下側周縁部に配置し、この状態で、図８および図９に示すように、上側プレート２１と下側プレート２２とを締結部２６によってフロアパネル１に締結することでなされる。
【００３１】
詳しくは、まず、図１０（ａ）に示すように、下側プレート２２を、開口部２の対角部分から挿入して、図１０（ｂ）に示すように、フロアパネル１の下面１ｂに配置する。
【００３２】
次に、図１０（ｃ）に示すように、上側プレート２１を開口部２の周縁部上側に配置する。このとき、図１１に示すように、上側プレート２１と下側プレート２２とは、開口部２の周縁部の上面１ａと下面１ｂとで対向配置した状態となる。
【００３３】
そして、図１０（ｄ）に示すように、締付ボルト２３をねじ穴２２ｂに螺合して上側プレート２１と下側プレート２２とをフロアパネル１に締め付けて、それら両プレート２１，２２で開口部２の周縁部を挟み込む。これにより、締結部２６によって上側プレート２１および下側プレート２２がフロアパネル１に圧接されて当該フロアパネル１に締結される。尚、図１０（ｄ）では締付ボルト２３は対角位置に２箇所取り付けた状態で示してあるが、残りの挿通穴２１ｃにも締付ボルト２３を取り付けるのは勿論である。
【００３４】
そして、このようにして開口部２の周縁部にコネクタ取付具２０を設置した後に、コネクタ１０を取り付けることになる。コネクタ１０の取り付けは、図２に示すように、まず、フレーム１１を上側プレート２１の内周縁部２１ｂに嵌合状態で配置する。次いで、器具プレート１４をフレーム１１内に挿入して、それの上端部をビス１７によって上側プレート２１に結合する。このとき、フレーム１１と内周縁部２１ｂとの間にはスペーサー２５を介在させて、フレーム１１の高さを調節できるようになっている。
【００３５】
その後、図１に示すように、器具ボックス１５をフレーム１１内に挿入して、上端部の引掛け片１５ｃをフレーム１１に係止しつつ、底壁１５ｂを器具プレート１４の下端部にビス１８によって結合する。尚、コネクタ本体１３は、器具プレート１４に予め組み付けておく。
【００３６】
図１に示すように、コネクタ取付具２０にコネクタ１０を取り付けた状態では、フレーム１１は上側プレート２１の外周縁部２１ａから所定量Ｈだけ突出するが、その所定量Ｈは、フロアパネル１に敷設したカーペット１９の厚さにほぼ一致している。また、フレーム１１が蓋部材１６によって閉塞された状態では、フレーム１１の上端と蓋部材１６の上面とが略同一面となる。
【００３７】
以上説明した本実施形態のコネクタ取付具２０では、上側プレート２１に加えて下側プレート２２も開口部２の周縁部に沿って環状に形成されているので、それら両プレート２１，２２を締結部２６によってフロアパネル１に締結した際に、上側プレート２１および下側プレート２２が開口部２の周縁部を上記従来構造に比べて広い範囲で支持できる。従って、フロアパネルの下面形状の影響を受けることが減少し、コネクタ１０が取り付けられる上側プレート２１を開口部２の周縁部に安定して固定できる。即ち、コネクタ取付具２０を開口部２の周縁部に安定して固定できる。これによりコネクタ１０の取り付けを確実なものにすることができる。
【００３８】
例えば、図１１に示すように、フロアパネル１の下面１ｂが多数の凹部１ｃによるディンプル形状として形成される場合も、環状形状の下側プレート２２は傾くことなく下面１ｂの表面に沿って安定して配置でき、上側プレート２１の固定を安定して行うことができる。
【００３９】
また、本実施形態のコネクタ取付具２０では、上側プレート２１が、開口部２の周縁部の上面に当接する外周縁部２１ａと、取付部であって外周縁部２１ａの内周部から段落ちして開口部２の内周に嵌合する内周縁部２１ｂと、を備える。したがって、上側プレート２１は、外周縁部が開口部２の周縁部上面に当接した状態で、内周縁部２１ｂが開口部２の内周に嵌合されるため、上側プレート２１を開口部２の周縁に配置する際に、その位置合せが容易である。
【００４０】
また、本実施形態のコネクタ取付具２０によれば、上側プレート２１が位置決め片２４を備えることにより、上側プレート２１を開口部２の周縁部上面に配置した際に、その上側プレート２１を開口部２に対して精度良く位置決めすることができる。
【００４１】
なお、なお、本発明は、本実施形態に限ることなく本発明の要旨を逸脱しない範囲で他の実施形態を各種採用することができる。例えば、開口部２が矩形状である関係上、コネクタ取付具２０が矩形状に形成された例を説明したが、コネクタ取付具２０は矩形状に限ることなく、開口部の開口形状に合った形状にすることができ、また、そのようにすることが好ましい。
【００４２】
また、本実施形態では、コネクタ１０が取り付けられる取付部として、上側プレート２１の内側周縁部を例に説明したが、取付部は、上側プレート２１の他の部位であっても良い。また、取付部は、下側プレート２２に設けられていても良く、さらには、上側プレート２１および下側プレート２２の両方に設けられていても良い。
【図面の簡単な説明】
【００４３】
【図１】本発明の一実施形態にかかるコネクタの取付状態を示す断面図。
【図２】本発明の一実施形態にかかるコネクタの取付途中を示す斜視図。
【図３】本発明の一実施形態にかかるコネクタ取付具を上方から見た斜視図。
【図４】本発明の一実施形態にかかるコネクタ取付具の平面図。
【図５】本発明の一実施形態にかかるコネクタ取付具の底面図。
【図６】本発明の一実施形態にかかるコネクタ取付具の正面図。
【図７】本発明の一実施形態にかかるコネクタ取付具の側面図。
【図８】図４中VIII−VIII線に沿った断面図。
【図９】図４中IX−IX線に沿った断面図。
【図１０】本発明の一実施形態にかかるコネクタ取付具をフロアパネルの開口部周縁に固定する手順を（ａ）〜（ｄ）に順を追って示す斜視図。
【図１１】本発明の一実施形態にかかるコネクタ取付具の取付状態をフロアパネルの下面から見た斜視図。
【符号の説明】
【００４４】
１…フロアパネル
１ａ…フロアパネルの上面
１ｂ…フロアパネルの下面
２…開口部
１０…コネクタ
２０…コネクタ取付具
２１…上側プレート
２１ａ…外周縁部
２１ｂ…内周縁部（取付部）
２２…下側プレート
２６…締結部
２４…位置決め片
【図１】
0005081640.tif 000002
【図２】
0005081640.tif 000003
【図３】
0005081640.tif 000004
【図４】
0005081640.tif 000005
【図５】
0005081640.tif 000006
【図６】
0005081640.tif 000007
【図７】
0005081640.tif 000008
【図８】
0005081640.tif 000009
【図９】
0005081640.tif 000010
【図１０】
0005081640.tif 000011
【図１１】
0005081640.tif 000012